(57)【要約】【課題】  フランジバック調整の際に、フォーカスレンズの駆動とフランジバックレンズの駆動を、特別な手段を操作することなく切り替えることを可能にしたレンズ装置及びそれを有する撮像装置を提供すること。【解決手段】  フォーカス駆動部と、ズームレンズを駆動するズーム駆動部と、フランジバック駆動部と、を有するレンズ本体と、フォーカス操作部と、前記フォーカス操作部の操作量に基づいて前記フォーカス駆動部を駆動するフォーカス駆動信号、或いは前記フランジバック駆動部を駆動するフランジバック駆動信号を生成する駆動信号生成部と、を備えるレンズ装置であって、前記駆動信号生成部は、前記ズームレンズが望遠端に位置する場合には前記フォーカス駆動信号のみを生成し、前記ズームレンズが広角端に位置する場合には前記フランジバック駆動信号のみを生成するモードで動作可能である。で動作可能である。【選択図】  図１
2015043045.tif 000002
【特許請求の範囲】
【請求項１】
フォーカスレンズを駆動するフォーカス駆動部と、ズームレンズを駆動するズーム駆動部と、フランジバック調整の際に駆動されるレンズを駆動するフランジバック駆動部と、を有するレンズ本体と、
フォーカス操作部と、
前記フォーカス操作部の操作量に基づいて前記フォーカス駆動部を駆動するフォーカス駆動信号、或いは前記フランジバック駆動部を駆動するフランジバック駆動信号を生成する駆動信号生成部と、
を備えるレンズ装置であって、
前記駆動信号生成部は、
前記フォーカス操作部の操作量から、前記フォーカス駆動信号と前記フランジバック駆動信号のうち、前記フォーカス駆動信号のみを生成する第１のモードと、
前記フォーカス駆動信号と前記フランジバック駆動信号のうち、前記ズームレンズが望遠端に位置する場合には前記フォーカス駆動信号のみを生成し、前記ズームレンズが広角端に位置する場合には前記フランジバック駆動信号のみを生成する第２のモードと、
で動作可能であることを特徴とするレンズ装置。
【請求項２】
前記第２のモードにおいては、前記ズームレンズが前記望遠端に位置するようにズーム駆動部を駆動する望遠端駆動信号、又は前記ズームレンズが前記広角端に位置するようにズーム駆動部を駆動する広角端駆動信号のみで前記ズーム駆動部が操作されることを特徴とする請求項１に記載のレンズ装置。
【請求項３】
前記レンズ本体は、前記レンズ本体の電源が投入されたときに、前記レンズ本体が取り付けられているカメラ装置の識別符号を取得する取得部と、前記取得部により取得された前記識別符号を記憶する記憶部と、を有し、
前記レンズの電源が投入されたときに前記取得部により取得された識別符号と、前記記憶部に最も遅く記憶された識別符号が異なる場合には、前記駆動信号生成部は前記第２のモードを実行することを特徴とする請求項１又は２に記載のレンズ装置。
【請求項４】
前記駆動信号生成部は、前記第２のモードにおいて、前記ズームレンズが、前記望遠端又は前記広角端に駆動されない場合には、前記フォーカス駆動信号及び前記フランジバック駆動信号を共に生成しないことを特徴とする請求項１乃至３のいずれかに記載のレンズ装置。
【請求項５】
前記第２のモードであって、前記ズームレンズが、前記望遠端又は前記広角端に位置する場合において、前記フォーカス操作部が操作されているときには、前記ズーム駆動部は操作できないことを特徴とする請求項１乃至４のいずれかに記載のレンズ装置。
【請求項６】
前記第２のモードが実行されたときに、前記ズーム駆動部は前記望遠端駆動信号で操作されることを特徴とする請求項２に記載のレンズ装置。
【請求項７】
前記駆動信号生成部は、前記レンズ本体の電源が投入されたときに、前記第２のモードを実行することを特徴とする請求項１又は２に記載のレンズ装置。
【請求項８】
前記第１のモードと前記第２のモードを切り替える切替部を有することを特徴とする請求項１乃至７のいずれかに記載のレンズ装置。
【請求項９】
前記駆動信号生成部は、前記フォーカスデマンドが有することを特徴とする請求項１乃至８のいずれかに記載のレンズ装置。
【請求項１０】
前記駆動信号生成部は、前記レンズ本体が有することを特徴とする請求項１乃至８のいずれかに記載のレンズ装置。
【請求項１１】
前記切替部は、前記フォーカスデマンドが有することを特徴とする請求項８に記載のレンズ装置。
【請求項１２】
前記切替部は、前記レンズ本体が有することを特徴とする請求項８に記載のレンズ装置。
【請求項１３】
請求項１乃至１２のいずれかに記載のレンズ装置と、前記レンズ装置によって形成された像を受光する撮像素子を有するカメラ装置と、を有することを特徴とする撮像装置。
【発明の詳細な説明】
【技術分野】
【０００１】
本発明は、レンズ装置及びそれを有する撮像装置に関し、特に、フランジバック調整が可能なレンズ装置及びそれを有する撮像装置に関する。
【背景技術】
【０００２】
従来、放送用大型レンズには、フランジバック調整を行える機構が設けられており、その調整機構を電動操作可能な機能（電動フランジバック機能）を有するものがある。この電動フランジバック機能の操作部としては、レンズ本体に設けられた操作つまみ（フランジバック調整つまみ）が一般的である。
【０００３】
電動操作可能なズームレンズ及びフォーカスレンズを操作する為のズームデマンド及びフォーカスデマンドと、フランジバック調整つまみの位置関係を図８に示す。図８では、レンズ本体１００にフランジバック調整つまみ１４６が設けられ、レンズ本体１００に、レンズ本体１００によって形成された像を受光する撮像素子を有するカメラ装置４００が接続されている。そして、カメラ装置４００の後ろ側（レンズ本体１００の像側）に、フォーカスデマンド２００及びズームデマンド３００が配置されている。レンズ本体１００等は、カメラ装置４００の後ろ側で、フォーカスデマンド２００、ズームデマンド３００をカメラマン５００が両手に持ってレンズ本体１００を操作する形態で運用される。このような運用形態において、レンズ本体１００に設けられた操作つまみ１４６により電動フランジバック機能を操作すると同時に、ズームデマンド３００、フォーカスデマンド２００の操作を行うことは困難であることは、図８の位置関係から明らかである。そこで、レンズ本体１００に設けられた操作つまみ１４６ではなく、レンズ本体１００から離れた場所からフランジバック調整が行える技術が提案されている。
【０００４】
例えば、特許文献１には、ズームデマンド又はフォーカスデマンドを操作することで、電動フランジバック機能が発揮できるようにする技術が開示されている。つまり、ズームデマンド又はフォーカスデマンドの機能を、電動フランジバック機能が発揮できるように切り替え可能な手段に関する技術が開示されている。
【先行技術文献】
【特許文献】
【０００５】
【特許文献１】特許第４０６９３３６号公報
【発明の概要】
【発明が解決しようとする課題】
【０００６】
しかしながら、特許文献１の従来技術では、電動フランジバック機能が発揮できるようにする場合毎に、電動フランジバック機能が発揮できるように、ズームデマンド又はフォーカスデマンドの機能を手動で切り替えることが必要となる。そして、そのために、ズームデマンド又はフォーカスデマンドを操作することが必要となる。
【０００７】
フランジバック調整は、以下の手順で行う。（１）ズームレンズを望遠端（ＴＥＬＥ端）にする。（２）その状態でフォーカスレンズを駆動し、特定の被写体に焦点を合わせる。（３）ズームレンズを広角端（ＷＩＤＥ端）にする。（４）その状態で、フランジバック調整の際に駆動されるレンズ（レンズ装置における光学系を構成するレンズのうち、最も像側のレンズ。以下、「フランジバックレンズ」ともいう）を駆動し、特定の被写体に焦点を合わせる操作を行う。そして、これら（１）〜（４）の操作を数回繰り返すことでフランジバック調整を行う。
【０００８】
このように、フランジバック調整の際には、フォーカスレンズの駆動とフランジバックレンズの駆動を交互に頻繁に行う必要がある。しかし、その度毎に、特許文献１に開示されているように、ズームデマンド又はフォーカスデマンドの機能を手動で切り替えることは非常に煩雑である。また、例えば、上述の（２）や（４）の操作を行う際に、上述の切り替えを失念し、駆動したいレンズとは異なるレンズを駆動した場合には、フランジバック調整を最初からやり直す必要もあり、非常に面倒である。
【０００９】
そこで、本発明の目的は、フランジバック調整の際に、フォーカスレンズの駆動とフランジバックレンズの駆動を、特別な手段を操作することなく切り替えることを可能にしたレンズ装置及びそれを有する撮像装置を提供することである。
【課題を解決するための手段】
【００１０】
上記目的を達成するために、本発明は、フォーカスレンズを駆動するフォーカス駆動部と、ズームレンズを駆動するズーム駆動部と、フランジバック調整の際に駆動されるレンズを駆動するフランジバック駆動部と、を有するレンズ本体と、フォーカス操作部と、前記フォーカス操作部の操作量に基づいて前記フォーカス駆動部を駆動するフォーカス駆動信号、或いは前記フランジバック駆動部を駆動するフランジバック駆動信号を生成する駆動信号生成部と、を備えるレンズ装置であって、前記駆動信号生成部は、前記フォーカス操作部の操作量から、前記フォーカス駆動信号と前記フランジバック駆動信号のうち、前記フォーカス駆動信号のみを生成する第１のモードと、前記フォーカス駆動信号と前記フランジバック駆動信号のうち、前記ズームレンズが望遠端に位置する場合には前記フォーカス駆動信号のみを生成し、前記ズームレンズが広角端に位置する場合には前記フランジバック駆動信号のみを生成する第２のモードと、で動作可能であることを特徴とする。
【発明の効果】
【００１１】
本発明によれば、フランジバック調整の際に、フォーカスレンズの駆動とフランジバックレンズの駆動を、特別な手段を操作することなく切り替えることを可能にしたレンズ装置及びそれを有する撮像装置を提供することができる。
【図面の簡単な説明】
【００１２】
【図１】実施例１のレンズ装置の構成を示すブロック図。
【図２】実施例１のフォーカスデマンドにおける処理を示すフローチャート。
【図３】実施例１のレンズ本体における処理を示すフローチャート。
【図４】実施例２のレンズ装置の構成を示すブロック図。
【図５】実施例２のズームデマンドにおける処理を示すフローチャート。
【図６】実施例３のレンズ装置の構成を示すブロック図。
【図７】実施例３のレンズ本体の電源投入時におけるモード切替動作を示すフローチャート。
【図８】通常のレンズ装置及びカメラ装置の位置関係を示す構成図。
【発明を実施するための形態】
【００１３】
以下に、本発明の好ましい実施の形態を、添付の図面に基づいて詳細に説明する。
【実施例１】
【００１４】
以下、図１を参照して、本発明の第１の実施形態に係る構成について説明する。図１は、本発明の第１の実施形態に係るレンズシステムの構成を示すブロック図である。
【００１５】
交換レンズ（レンズ本体）１００には、フォーカスレンズ１１０、ズームレンズ１２０、アイリス１３０、フランジバックレンズ１４０（以下、フランジバックのことを「ＦＢ」ともいう）が構成されている。フォーカスレンズ１１０には、その電動動作用にフォーカスモータ（フォーカス駆動部）１１１、位置センサであるフォーカスエンコーダ１１２、フォーカス位置信号生成部１１３がある。フォーカスエンコーダ１１２からの出力信号を使用して、フォーカス位置信号生成部１１３でフォーカスレンズの位置を表すフォーカス位置信号が生成される。また、フォーカスモータ１１１の制御の為、フォーカス制御部１１４が構成される。フォーカスモータ１１１、フォーカスエンコーダ１１２、フォーカス位置信号生成部１１３フォーカス制御部１１４により、フォーカスレンズ１１０の電動動作が可能となっている。ズームレンズ１２０にも同様に、ズームモータ（ズーム駆動部）１２１、ズームエンコーダ１２２、ズーム位置信号生成部１２３、ズーム制御部１２４が構成され、これらにより、ズームレンズ１２０の電動動作が可能となっている。同じく、ＦＢレンズ１４０にも同様に、ＦＢモータ（フランジバック駆動部）１４１、ＦＢエンコーダ―１４２、ＦＢ位置信号生成部１４３、ＦＢ制御部１４４が存在し、これらにより、ＦＢレンズ１４０の電動動作が可能となっている。ＦＢレンズ１４０には、ＦＢ制御部１４４へのコントロール信号として、レンズ本体１００に設けられた操作つまみ１４６にエンコーダ１４７が接続されている。このエンコーダ１４７からの出力信号からＦＢコントロール信号を生成するＦＢコントロール生成部１４８が構成され、ここで生成されたＦＢコントロールによりフランジバックレンズ１４０の電動操作が可能となる。また、ＦＢコントロールとしては、後述するフォーカスデマンド２００において生成され送信されたＦＢコントロール１４５も使用可能で、ＦＢコントール１４５を保存する為にフラッシュＲＯＭ１５０が構成されている。ＦＢレンズ１４０の操作に用いるＦＢコントロールを、コントロール生成部１４８において生成されたＦＢコントロール信号、又はフラッシュＲＯＭ１５０に保存されたＦＢコントロール１４５に切り替える為、ＦＢコントロール切替部１４９が構成されている。なお、以下においては、「コントロール信号」のことを、単に「コントロール」ともいう。
【００１６】
次に、レンズ本体１００には、フォーカスレンズ１１０を電動操作する操作部材として、フォーカスデマンド２００、ズームレンズ１２０を電動操作する操作部材としてズームデマンド３００が装着される。またフォーカスデマンド２００、ズームデマンド３００と、レンズ本体１００とを通信する為に、レンズ本体１００にはレンズ通信部１６０が構成される。このレンズ通信部１６０で受信したフォーカスデマンド２００からのフォーカスコントロール１１５、ズームデマンド３００からのズームコントロール１２５を、フォーカスレンズ１１０、ズームレンズ１２０の電動操作コントロールとする。
【００１７】
フォーカスデマンド２００には、その操作部であるフォーカスノブ（フォーカス操作部）２０１があり、フォーカスノブ２０１にはエンコーダ２０２が接続されている。フォーカスノブ２０１は機械的な端が存在しない。またエンコーダ２０２の信号からフォーカスのコントロール、ＦＢコントロールを生成することが可能なコントロール生成部（駆動信号生成部）２１０が構成されている。コントロール生成部２１０で生成されたフォーカスコントロール、ＦＢコントロールは、レンズ本体１００と通信を行う為に構成されたフォーカス通信部２０４により、レンズ本体１００に送信される。
【００１８】
フォーカスデマンド２００は、コントロール生成部（駆動信号生成部）２１０にて、通常操作モード（第１のモード）と、ＦＢ調整操作モード（第２のモード）を実行可能である。通常操作モードとは、通常のフォーカス操作のみを行うモードである。つまり、フォーカスノブ２０１の操作量から、フォーカスモータ１１１を駆動するフォーカス駆動信号とフランジバックモータ１４１を駆動するフランジバック駆動信号のうち、フォーカス駆動信号のみを生成するモードである。ＦＢ調整操作モードとは、フランジバック調整時専用の操作モードである。つまり、フォーカスノブ２０１の操作量から、フォーカスモータ１１１を駆動するフォーカス駆動信号とフランジバックモータ１４１を駆動するフランジバック駆動信号のうち、フォーカス駆動信号とフランジバック駆動信号を共に生成するモードである。
【００１９】
通常操作モードとＦＢ調整操作モードは、適宜切替えてレンズ本体１００を操作可能である。これらモードに切替える為に、操作モード切替スイッチ２０３が設けられている。操作モード切替スイッチ２０３で切り替えた操作モード情報は、フォーカス通信部２０４によりレンズ本体１００に送信される。
【００２０】
図２は、フォーカスデマンド２００における処理を示すフローチャートである。
【００２１】
Ｓ１では、操作モード切替スイッチ２０３による操作モードが、ＦＢ調整操作モード（第２のモード）であるか確認する。ＦＢ調整操作モードであれば、Ｓ１からＳ２へ移行し、Ｓ２では、モード切り替わりの最初か否かを確認する。
【００２２】
Ｓ２では、ＦＢ調整操作モードへの切り替わりの最初であれば、Ｓ２からＳ３へ移行し、Ｓ３では、現在のＦＢコントロールをレンズ本体１００より取得し、Ｓ３からＳ４へ移行する。Ｓ２では、ＦＢ調整操作モード切り替わりの最初では無い場合には、Ｓ２からＳ４へ移行し、Ｓ３は行わない。
【００２３】
レンズ本体１００からフォーカスデマンド２００は、ズームレンズ１２０の位置データ（ズーム位置データ）をレンズ本体１００のレンズ通信部１６０から常時取得可能である。Ｓ４では、このズーム位置データを確認し、ズームレンズ１２０がＴＥＬＥ（望遠端）より一定範囲内にあるか否かを確認する。
【００２４】
Ｓ４で、ズームレンズ１２０がＴＥＬＥより一定範囲内にある場合には、Ｓ４からＳ６へ移行する。Ｓ６で、フォーカスノブ（フォーカス操作部）２０１の操作量に対するフォーカス位置コントロールがコントロール生成部２１０で生成され、フォーカス通信部２０４からレンズ本体１００に送信される。Ｓ４で、ズームがＴＥＬＥより一定範囲内にない場合には、Ｓ４からＳ５へ移行し、Ｓ５でズームレンズ１２０がＷＩＤＥ（広角端）より一定範囲内にあるか否かを確認する。
【００２５】
Ｓ５で、ズームレンズ１２０がＷＩＤＥより一定範囲内にある場合には、Ｓ５からＳ７へ移行する。Ｓ３で、現在のＦＢコントロールを取得した場合には、Ｓ７で、Ｓ３で取得した現在のＦＢコントロールを基に、フォーカスノブ２０１の操作量に対するＦＢ位置コントロールがコントロール生成部２１０で生成され、フォーカス通信部２０４からレンズ本体１００に送信される。Ｓ３で、ＦＢコントロールを取得しなかった場合には、前回のＳ７で、コントロール生成部２１０で生成されたＦＢ位置コントロールを基に、フォーカスノブ２０１の操作量に対するＦＢ位置コントロールがコントロール生成部２１０で生成される。そして、フォーカス通信部２０４からレンズ本体１００に送信される。なお、Ｓ３で、ＦＢコントロールを取得しなかった場合とは、Ｓ２で、ＦＢ調整操作モードへの最初の切り替わりでない場合である。
【００２６】
Ｓ５で、ズームレンズ１２０がＷＩＤＥより一定範囲内にない場合には、Ｓ５からＳ８へ移行し、Ｓ８でフォーカスノブ２０１の操作量に対するコントロールとしては何も生成されず、レンズ本体１００へフォーカスコントロール、ＦＢコントロールは送信されない。
【００２７】
Ｓ１で、操作モード切替スイッチ２０３による操作モードが、ＦＢ調整操作モード（第２のモード）でない場合には、通常モード（第１のモード）でＳ１からＳ６へ移行する。そして、フォーカスノブ２０１の操作量に対するフォーカス位置コントロールがコントロール生成部２１０で生成され、フォーカス通信部２０４からレンズ本体１００に送信される。
【００２８】
図３は、レンズ本体１００における処理（レンズ本体１００において、現在のＦＢコントロールを決定し、決定されたＦＢコントロールをフォーカスデマンド２００へ送信する処理を含む）を示すフローチャートである。
【００２９】
レンズ本体１００に電源投入後、Ｓ１０１で、ＦＢコントロール１４５にフラッシュＲＯＭ１５０に保存されたＦＢコントロールをロードし、Ｓ１０１からＳ１０２へ移行する。
【００３０】
Ｓ１０２で、前回ＦＢ調整を行った際のコントロールが、ＦＢ調整つまみ１４６の操作によりコントロール生成部１４８で生成したコントロールか否かを確認する。コントロール生成部１４８で生成したコントロールであれば、Ｓ１０２からＳ１０６へ移行し、Ｓ１０６で、ＦＢコントロール切替部１４９により、コントロール生成部１４８で生成したコントロールをＦＢコントロールとし、Ｓ１０６からＳ１０７へ移行する。
【００３１】
また、Ｓ１０２で、前回ＦＢ調整を行った際のコントロールが、コントロール生成部１４８で生成したコントロールでない場合には、Ｓ１０２からＳ１０３へ移行する。
【００３２】
Ｓ１０３では、コントロール生成部１４８で生成したコントロールからＦＢコントロール１４５への切り替わりの最初か否かを確認する。最初であれば、Ｓ１０３からＳ１０４へ移行し、Ｓ１０４で、ＦＢコントロール１４５を現在のＦＢコントロールとして設定し、Ｓ１０４からＳ１０５へと移行する。Ｓ１０３で、最初でない場合には、Ｓ１０３からＳ１０５へ移行し、Ｓ１０４は行わない。
【００３３】
Ｓ１０５では、ＦＢコントロール切替部１４９により、ＦＢコントロール１４５をＦＢコントロールとし、Ｓ１０５からＳ１０７へ移行する。
【００３４】
次に、Ｓ１０７で、フォーカスデマンド２００から送られてきた操作モードが、ＦＢ調整操作モード（第２のモード）であるか否かを確認する。ＦＢ調整操作モードであれば、Ｓ１０７からＳ１０８へ移行し、Ｓ１０８でＦＢ調整操作モードへの切り替わりの最初かを確認する。
【００３５】
Ｓ１０８で、ＦＢ調整操作モード（第２のモード）への切り替わりの最初であれば、Ｓ１０８からＳ１０９へ移行し、Ｓ１０９で、ＦＢコントロール１４５を現在のＦＢコントロールとして設定し、Ｓ１０９からＳ１１０へ移行する。
【００３６】
Ｓ１１０では、現在のＦＢコントロール（ＦＢコントロール１４５）をフォーカスデマンドに送信し、Ｓ１１０からＳ１１１に移行する。
【００３７】
Ｓ１０８で、ＦＢ調整操作モードへの切り替わりの最初でない場合には、Ｓ１０８からＳ１１１へ移行し、Ｓ１０９，Ｓ１１０は行わない。
【００３８】
Ｓ１１１では、ＦＢコントロールをフォーカスデマンドからのＦＢコントロールで更新し、Ｓ１０２へ戻る。
【００３９】
Ｓ１０７で、ＦＢ調整操作モードでない場合には、Ｓ１０７からＳ１１２へ移行し、Ｓ１１２で、通常操作モード（第１のモード）への切り替わりの最初かを確認する。最初であれば、Ｓ１１２からＳ１１３へ移行し、Ｓ１１３で、現在のＦＢコントロールをフラッシュＲＯＭ１５０に保存し、Ｓ１０２へと戻る。最初でなければ、Ｓ１１２からＳ１０２へ戻る。
【００４０】
以上により、ＦＢ調整時に、ズームの位置により焦点を合わせる操作対象を、フォーカス、フランジバックと気にすることなく、フォーカスデマンドのノブを操作するだけで焦点を合わせることが可能で、ＦＢ調整時の操作が簡単になる。
【００４１】
本実施例では、ズーム動作は、フォーカス動作、ＦＢ動作と独立して操作可能であったが、フォーカス、ＦＢが操作中にはズーム動作を禁止する様にして、ズームとフォーカスまたはＦＢが同時操作できない様にしても良い。
【００４２】
また、本実施例では、ＦＢ操作部をレンズ部に設けたが、レンズ本体には、電動で操作する為のＦＢ操作部を設けず、ＦＢコントロールをＦＢ調整操作モード時の操作のみとしてもよい。
【実施例２】
【００４３】
以下、図４を参照して、本発明の第２の実施形態に係る構成について説明する。図４は、本発明の第２の実施形態に係るレンズシステムの構成を示すブロック図である。第１の実施形態とは、ズームデマンド３００の構成が異なり、ＦＢ調整操作モード時のズームデマンド３００の振る舞いが異なる。
【００４４】
ズームデマンド３００には、その操作部であるサムリング３０１があり、サムリング３０１にはエンコーダ３０２が接続されている。また、エンコーダ―３０２の信号からズームスピードコントロール、ズームＴＥＬＥ／ＷＩＤＥ端位置コントロールを生成することが可能なコントロール生成部３１０が構成されている。また、レンズ本体１００と通信を行う為に、ズーム通信部３０４が構成されている。
【００４５】
コントロール生成部３１０で生成されたズームコントロールは、ズーム通信部３０４によりレンズ本体１００に送信される。
【００４６】
図５は、ズームデマンド３００における処理を示すフローチャートである。
【００４７】
フォーカスデマンド２００の操作モード切替スイッチ２０３における設定が、フォーカスデマンド２００からレンズ本体１００を経由し、ズームデマンド３００に送信される。
【００４８】
Ｓ２０１では、フォーカスデマンド２００の操作モード切替スイッチ２０３による操作モードが、ＦＢ調整操作モードであるか否かを確認する。ＦＢ調整操作モードであれば、Ｓ２０１からＳ２０２へ移行する。
【００４９】
Ｓ２０２では、ＦＢ調整操作モード切り替わりの最初かを確認する。ＦＢ調整操作モード切り替わりの最初であれば、Ｓ２０２からＳ２０３へ移行し、Ｓ２０３で、現在のズーム位置をズーム位置コントロールに設定し、Ｓ２０３からＳ２０４へ移行する。
【００５０】
Ｓ２０３で、ＦＢ調整操作モード切り替わりの最初でなければ、Ｓ２０３からＳ２０４へ移行する。
【００５１】
Ｓ２０４では、サムリング３０１がＴＥＬＥ側に２０度以上倒れているかを確認する。サムリング３０１がＴＥＬＥ側に２０度以上倒れている場合には、Ｓ２０４からＳ２０７へ移行する。
【００５２】
Ｓ２０７では、ズームレンズがＷＩＤＥ（望遠端）に位置するようにズーム駆動部を駆動するＴＥＬＥ端位置コントロール（望遠端駆動信号）をレンズ本体１００へ出力し、Ｓ２０７からＳ２０１へ移行する。
【００５３】
Ｓ２０４で、サムリング３０１がＴＥＬＥ側に２０度以上倒れていない場合には、Ｓ２０４からＳ２０５へ移行し、Ｓ２０５でサムリング３０１がＷＩＤＥ側に２０度以上倒れているかを確認する。
【００５４】
Ｓ２０５で、サムリング３０１がＷＩＤＥ側に２０度以上たおれている場合には、ＷＩＤＥ端位置コントロールをレンズ本体１００へ出力し、Ｓ２０５からＳ２０８へ移行する。
【００５５】
Ｓ２０８では、ズームレンズがＷＩＤＥ（広角端）に位置するようにズーム駆動部を駆動するＷＩＤＥ端位置コントロール（広角端駆動信号）をレンズ本体１００へ出力し、Ｓ２０８からＳ２０１へ移行する。
【００５６】
Ｓ２０５で、サムリング３０１がＷＩＤＥ側に２０度以上倒れていない場合には、Ｓ２０５からＳ２０９へ移行する。
【００５７】
Ｓ２０９では、現状のコントロールを維持した位置コントロールをレンズ本体１００へ出力し、Ｓ２０９からＳ２０１へ移行する。
【００５８】
Ｓ２０１で、ＦＢ調整操作モード（第２のモード）ではない場合には、Ｓ２０１からＳ２０６へ移行する。
【００５９】
Ｓ２０６では、サムリング３０１の倒し角に応じたズームスピードコントロールをレンズ本体１００へ出力し、Ｓ２０６からＳ２０１へ移行する。
【００６０】
以上の動作を行うことで、ＦＢ調整操作モード時には、ズーム操作を行うコントロールが通常モードとは異なる。
【００６１】
ズーム駆動部を駆動する信号としては、ＴＥＬＥ端位置コントロール、ＷＩＤＥ端位置コントロールに限定でき、少しのサムリング操作でＴＥＬＥ端、ＷＩＤＥ端まで動作させることが可能となりＦＢ操作時のズーム操作を簡単に行うことが可能となる。
【００６２】
本実施例では、ＦＢ調整操作モードに入った最初の位置コントロールを現状のズーム位置としたが、現状のズーム位置ではなくＴＥＬＥ端、またはＷＩＤＥ端の位置コントロールに設定してもよい。
【実施例３】
【００６３】
以下、図６を参照して、本発明の第３の実施形態に係る構成について説明する。
【００６４】
図６は、本発明の第３の実施形態に係るレンズ装置の構成を示すブロック図である。第３の実施形態は、第１の実施形態、第２の実施形態とは、レンズ本体１００に、操作モード切替についての構成（操作モード切替部）が追加されている点が異なる。
【００６５】
図６で、レンズ本体１００に接続される、カメラ装置４００には、レンズ本体１００に構成されたレンズ通信部１７３と通信を行う為のカメラ通信部４０１があり、レンズ本体１００とデータの送受信を行う。なお、カメラ装置４００は、レンズ本体１００によって形成された像を受光する撮像素子を有する。
【００６６】
カメラ装置４００がレンズ本体１００と送受信するデータの中には、レンズ本体１００でカメラ装置４００を識別可能なカメラＩＤがある。レンズ本体１００は、レンズ通信部１７３よりカメラ装置４００から受信したデータから、カメラ装置のＩＤを取得するＩＤ取得部（取得部）１７４が構成される。取得されたカメラＩＤは、フラッシュＲＯＭ（記憶部）１５０に書き込まれる。こフラッシュＲＯＭ１５０にはカメラＩＤの格納場所として、前回レンズに電源投入時のカメラＩＤ格納場所１５１，現在レンズに電源投入時のカメラＩＤ格納場所１５２が設けられている。
【００６７】
また、前回レンズに電源投入時のカメラＩＤ格納場所１５１，現在レンズに電源投入時のカメラＩＤ格納場所１５２に格納されたカメラＩＤを比較するＩＤ比較部１７１が構成されている。また、このＩＤ比較部１７１の動作をレンズ電源投入時に１度実行させる為、レンズ電源投入検出部１７０が構成されている。電源投入時の操作モードは、フォーカスデマンド２００の操作モード切替スイッチ２０３の状態とＩＤ検出部での検出結果により操作モード切替部１７２により決定される。操作モード切替部１７２で決定された操作モードは、レンズ通信部１６０により、フォーカスデマンド２００、ズームデマンド３００に送信される。フォーカスデマンド２００はレンズ本体１００からの操作モードを受信した後、操作モードが決定され、操作モード切替スイッチ２０３の状態も決定された操作モードに変更される。
【００６８】
図７は、電源立ち上げ時のレンズ本体１００における調整モード決定のフローチャートである。
【００６９】
Ｓ３０１で、レンズ本体１００がＰＯＷＥＲ  ＯＮ（電源が投入）されると、Ｓ３０１からＳ３０２へ移行する。Ｓ３０２で、前回レンズに電源投入時のカメラＩＤ格納場所１５１へ現在レンズに電源投入時のカメラＩＤ格納場所１５２に格納されたカメラＩＤ（識別符号）をコピーし、前回接続カメラＩＤを保存する。
【００７０】
次に、Ｓ３０３で、レンズ本体１００はカメラ装置４００と通信を行い、カメラＩＤを取得し、現在レンズに電源投入時のカメラＩＤ格納場所１５２にそのカメラＩＤを保存する。
【００７１】
Ｓ３０４で、前回レンズに電源投入時のカメラＩＤ格納場所１５１と現在レンズに電源投入時のカメラＩＤ格納場所１５２に格納されたカメラＩＤを比較し、レンズ本体１００に接続されているカメラが前回と、現在で異なるかを確認する。
【００７２】
カメラが前回と、現在で異なった場合には、Ｓ３０４からＳ３０５へ移行し、Ｓ３０５で、フォーカスデマンド２００の操作モード切替スイッチ２０３の状態にかかわらず操作モード切替部１７２によりＦＢ調整操作モードに強制移行する。
【００７３】
ＦＢ調整操作モードの切り替わり情報は、レンズ通信部１６０を通してフォーカスデマンド２００、ズームデマンド３００に送信され、フォーカスデマンド２００の操作モード切替スイッチ２０３の状態がＦＢ調整操作モードに設定される。
【００７４】
その後、Ｓ３０６でＦＢ調整操作モードに入ってからのズーム、フォーカス、ＦＢ操作が無いか確認する。ＦＢ調整操作モードに入ってからのズーム、フォーカス、ＦＢ操作が無い場合、Ｓ３０７でＦＢ調整操作モードに入ってからの時間のカウントアップを行う。
【００７５】
Ｓ３０８で、ＦＢ調整操作モードに入ってからの時間カウントが一定カウントを超えタイムアウトとなっているか確認する。タイムアウトしている場合Ｓ３０９へ進む。
【００７６】
Ｓ３０８で、タイムアウトしていない場合には、Ｓ３０６へ戻る。
【００７７】
Ｓ３０６からＳ３０９はレンズ本体１００に電源が投入されてからＳ３０５でＦＢ調整操作モードに強制移行した場合に、フランジバック操作が一定時間行われないと判断すると、Ｓ３０９で通常モードに設定し強制移行を終了させるフローである。この時、通常モードへの切り替わり情報は、レンズ通信部１６０を通してフォーカスデマンド２００、ズームデマンド３００に送信され、フォーカスデマンド２００のフォーカス通信部２０４を通して操作モード切替スイッチ２０３の状態が通常モードに設定される。
【００７８】
また、Ｓ３０６で、ＦＢ調整操作モードに入ってからのズーム、フォーカス、ＦＢ操作があった場合には、Ｓ３０７、Ｓ３０８を行わずＳ３１０へ進む。
【００７９】
Ｓ３１０以降は、フォーカスデマンド２００の操作モード切替スイッチ２０３の状態によって操作モードが決定される状態になる。
【００８０】
Ｓ３０９で、フォーカスデマンド２００の操作モード切替スイッチ２０３の状態が通常モードであるか確認する。通常モードである場合には、Ｓ３１０で通常操作モードに移行する。
【００８１】
Ｓ３０９で、フォーカスデマンド２００の操作モード切替スイッチ２０３の状態が通常モードでない場合には、Ｓ３１１でＦＢ調整操作モードに移行する。
【００８２】
以上により、ＦＢ調整が必要と考えられるカメラとレンズの組み合わせが変わった場合に、電源投入時自動でＦＢ調整操作モードに入る。そして、一定時間操作が無い場合には通常モードに戻る動作を行うことで、ＦＢ調整操作モードの切替を省略することができ使用勝手が向上する。
【００８３】
本実施例では、レンズに電源投入時、前回のカメラが異なるかカメラＩＤを確認してＦＢ調整操作モードを立ち上げたが、無条件にレンズに電源が投入された場合に強制的にＦＢ調整操作モードとして立ち上げてもよい。
【００８４】
以上、本発明の好ましい実施形態について説明したが、本発明はこれらの実施形態に限定されず、その要旨の範囲内で種々の変形及び変更が可能である。
【００８５】
例えば、駆動信号生成部は、第２のモードにおいて、ズームレンズが、望遠端又は広角端に駆動されない場合には、フォーカス駆動信号及びフランジバック駆動信号を共に生成しないようにすることが可能である。
【００８６】
例えば、第２のモードであって、ズームレンズが、望遠端又は広角端に位置する場合において、フォーカス操作部が操作されているときには、ズーム駆動部は操作できないようにすることが可能である。
【００８７】
例えば、第２のモードが実行されたときに（第２のモードが実行されたタイミングで）、ズーム駆動部が望遠端駆動信号で操作される（ズームレンズが望遠端に位置するようにズーム駆動部が駆動される）ようにすることが可能である。
【００８８】
例えば、駆動信号生成部は、レンズ本体の電源が投入されたときに、第２のモードを実行するようにすることが可能である。
【００８９】
例えば、駆動信号生成部は、レンズ本体が有するようにすることが可能である。
【００９０】
例えば、切替部は、レンズ本体が有するようにすることが可能である。
【符号の説明】
【００９１】
１００  レンズ本体（交換レンズ）
１１０  フォーカスレンズ
１１１  フォーカス駆動部（フォーカスモータ）
１２０  ズームレンズ
１２１  ズーム駆動部（ズームモータ）
１４０  フランジバック調整の際に駆動されるレンズ（フランジバックレンズ）
１４１  フランジバック駆動部（フランジバックモータ）
２０１  フォーカス操作部（フォーカスノブ）
２１０  駆動信号生成部（コントロール生成部）
３００  ズームデマンド
【図１】
2015043045.tif 000003
【図２】
2015043045.tif 000004
【図３】
2015043045.tif 000005
【図４】
2015043045.tif 000006
【図５】
2015043045.tif 000007
【図６】
2015043045.tif 000008
【図７】
2015043045.tif 000009
【図８】
2015043045.tif 000010